(57)【要約】  装置間のコンテンツ送信を適切に行う。  情報処理装置は、制御部を具備する。また、情報処理装置が具備する制御部は、近距離無線通信を利用して第２の外部情報処理装置との接触または近接が検出された場合に、記録媒体に記録されているコンテンツのうちから、送信対象となるコンテンツを選択して第２の外部情報処理装置に送信する制御を行う。この場合に、情報処理装置が具備する制御部は、記録媒体に記録されているコンテンツのうちから、送信対象となるコンテンツを選択するための情報であり、第１の外部情報処理装置において生成された情報である選択情報を用いる。すなわち、情報処理装置が具備する制御部は、その選択情報に基づいて、記録媒体に記録されているコンテンツを第２の外部情報処理装置に送信する制御を行う。
2015194237.tif 000002
【特許請求の範囲】
【請求項１】
近距離無線通信を利用して第２の外部情報処理装置との接触または近接が検出された場合に、記録媒体に記録されているコンテンツのうちから送信対象となるコンテンツを選択するための情報であって第１の外部情報処理装置において生成された選択情報に基づいて、前記記録媒体に記録されているコンテンツを前記第２の外部情報処理装置に送信する制御を行う制御部を具備する情報処理装置。
【請求項２】
前記制御部は、前記記録媒体に記録されているコンテンツのうち前記選択情報に基づいて選択されるコンテンツを前記第２の外部情報処理装置に送信する請求項１記載の情報処理装置。
【請求項３】
前記制御部は、前記第１の外部情報処理装置からの要求に応じて前記選択情報を生成する際に用いられるコンテンツ情報を前記第１の外部情報処理装置に送信し、前記第１の外部情報処理装置により生成された前記選択情報を取得する請求項１記載の情報処理装置。
【請求項４】
前記制御部は、前記選択情報を取得した場合には、前記選択情報に基づいて前記コンテンツを送信するための特定送信モードを設定する請求項３記載の情報処理装置。
【請求項５】
前記制御部は、前記特定送信モードが設定されている状態では、前記選択情報に基づいて選択されるコンテンツを前記第２の外部情報処理装置に送信する請求項４記載の情報処理装置。
【請求項６】
前記コンテンツは、画像コンテンツであり、
前記コンテンツ情報は、前記画像コンテンツを表す縮小画像を表示させるための画像情報であり、
前記第１の外部情報処理装置は、前記画像情報に基づいて前記縮小画像を表示させ、前記縮小画像を用いたユーザ操作に基づいて前記選択情報を生成する
請求項３記載の情報処理装置。
【請求項７】
前記制御部は、前記第１の外部情報処理装置からの要求に応じて前記選択情報を生成する際に用いられるコンテンツ情報を前記第１の外部情報処理装置に送信して前記選択情報を前記第２の外部情報処理装置から取得し、
前記第１の外部情報処理装置は、前記コンテンツ情報を用いて生成された前記選択情報を前記第２の外部情報処理装置に送信する
請求項１記載の情報処理装置。
【請求項８】
前記制御部は、前記記録媒体に記録されているコンテンツについての画像認識処理により前記選択情報を生成する請求項１記載の情報処理装置。
【請求項９】
前記制御部は、近距離無線通信を利用して前記第２の外部情報処理装置との接触または近接が検出された前記情報処理装置における位置に基づいて前記第２の外部情報処理装置への送信対象とするコンテンツを変更する請求項１記載の情報処理装置。
【請求項１０】
被写体を撮像して前記被写体を含むコンテンツを生成する撮像部をさらに具備し、
前記制御部は、前記生成されたコンテンツを前記記録媒体に記録させる
請求項１記載の情報処理装置。
【請求項１１】
撮像装置に記録されているコンテンツに関するコンテンツ情報を取得して前記コンテンツ情報に基づいて前記撮像装置に記録されているコンテンツのうちから他の情報処理装置への送信対象とするコンテンツを選択するための選択情報を生成する制御を行う制御部を具備する情報処理装置。
【請求項１２】
撮像装置の記録媒体に記録されているコンテンツに関するコンテンツ情報を取得して前記コンテンツ情報に基づいて前記記録媒体に記録されているコンテンツのうちから他の情報処理装置への送信対象とするコンテンツを選択するための選択情報を生成する情報処理装置と、
前記選択情報に基づいて前記記録媒体に記録されているコンテンツを前記他の情報処理装置に送信する撮像装置と
を具備する情報処理システム。
【請求項１３】
近距離無線通信を利用して第２の外部情報処理装置との接触または近接が検出された場合に、記録媒体に記録されているコンテンツのうちから送信対象となるコンテンツを選択するための情報であって第１の外部情報処理装置において生成された選択情報に基づいて、前記記録媒体に記録されているコンテンツを前記第２の外部情報処理装置に送信する情報処理装置の制御方法。
【請求項１４】
近距離無線通信を利用して第２の外部情報処理装置との接触または近接が検出された場合に、記録媒体に記録されているコンテンツのうちから送信対象となるコンテンツを選択するための情報であって第１の外部情報処理装置において生成された選択情報に基づいて、前記記録媒体に記録されているコンテンツを前記第２の外部情報処理装置に送信する送信手順をコンピュータに実行させるプログラム。
【発明の詳細な説明】
【技術分野】
【０００１】
本技術は、情報処理装置に関する。詳しくは、コンテンツを扱う情報処理装置、情報処理システムおよびこれらの制御方法ならびに当該方法をコンピュータに実行させるプログラムに関する。
【背景技術】
【０００２】
従来、被写体を撮像して画像（画像データ）を生成し、この画像をコンテンツとして記録するデジタルスチルカメラやデジタルビデオカメラ（例えば、カメラ一体型レコーダ）等の撮像装置が普及している。また、無線通信を利用して各種データのやり取りを行う無線通信技術が存在する。【０００３】
また、無線通信を利用して他の装置により撮像装置を操作する技術が存在する。例えば、表示部に表示されている操作スイッチ画像に対する接触操作が検出されると、その接触操作が行われた操作スイッチ画像に対応する動作を撮像装置に実行させる電子機器が提案されている（例えば、特許文献１参照。）。
【先行技術文献】
【特許文献】
【０００４】
【特許文献１】特開２００９−９４５９１号公報
【発明の概要】
【発明が解決しようとする課題】
【０００５】
上述の従来技術では、無線通信を利用して電子機器により撮像装置を操作することができるため、例えば、撮像装置および電子機器間が離れている場合でも、電子機器を用いて撮像装置を操作することができる。【０００６】
ここで、例えば、無線通信を利用して撮像装置を操作することが可能な情報処理装置を用いて撮像動作を行う場合を想定する。この場合には、その撮像動作により生成された画像（画像コンテンツ）を撮像装置に記録することができる。また、撮像装置に記録された画像を情報処理装置において使用する場合には、撮像装置から情報処理装置に画像を送信することができる。【０００７】
また、例えば、友人が所有する情報処理装置にその撮像装置に記録された画像を送信することもできる。この場合に、例えば、友人に見せたくない画像については、その友人が所有する情報処理装置に送信しないようにすることが好ましい。そこで、撮像装置から情報処理装置に画像を送信する場合には、その画像送信を適切に行うことが重要である。【０００８】
本技術はこのような状況に鑑みて生み出されたものであり、装置間のコンテンツ送信を適切に行うことを目的とする。
【課題を解決するための手段】
【０００９】
本技術は、上述の問題点を解消するためになされたものであり、その第１の側面は、近距離無線通信を利用して第２の外部情報処理装置との接触または近接が検出された場合に、記録媒体に記録されているコンテンツのうちから送信対象となるコンテンツを選択するための情報であって第１の外部情報処理装置において生成された選択情報に基づいて、上記記録媒体に記録されているコンテンツを上記第２の外部情報処理装置に送信する制御を行う制御部を具備する情報処理装置およびその制御方法ならびに当該方法をコンピュータに実行させるプログラムである。これにより、選択情報に基づいて、記録媒体に記録されているコンテンツを第２の外部情報処理装置に送信するという作用をもたらす。【００１０】
また、この第１の側面において、上記制御部は、上記記録媒体に記録されているコンテンツのうち上記選択情報に基づいて選択されるコンテンツを上記第２の外部情報処理装置に送信するようにしてもよい。これにより、記録媒体に記録されているコンテンツのうち、選択情報に基づいて選択されるコンテンツを第２の外部情報処理装置に送信するという作用をもたらす。【００１１】
また、この第１の側面において、上記制御部は、上記第１の外部情報処理装置からの要求に応じて上記選択情報を生成する際に用いられるコンテンツ情報を上記第１の外部情報処理装置に送信し、上記第１の外部情報処理装置により生成された上記選択情報を取得するようにしてもよい。これにより、第１の外部情報処理装置からの要求に応じてコンテンツ情報を第１の外部情報処理装置に送信し、第１の外部情報処理装置により生成された選択情報を取得するという作用をもたらす。【００１２】
また、この第１の側面において、上記制御部は、上記選択情報を取得した場合には、上記選択情報に基づいて上記コンテンツを送信するための特定送信モードを設定するようにしてもよい。これにより、選択情報を取得した場合には特定送信モードを設定するという作用をもたらす。【００１３】
また、この第１の側面において、上記制御部は、上記特定送信モードが設定されている状態では、上記選択情報に基づいて選択されるコンテンツを上記第２の外部情報処理装置に送信するようにしてもよい。これにより、特定送信モードが設定されている状態では、選択情報に基づいて選択されるコンテンツを第２の外部情報処理装置に送信するという作用をもたらす。【００１４】
また、この第１の側面において、上記コンテンツは、画像コンテンツであり、上記コンテンツ情報は、上記画像コンテンツを表す縮小画像を表示させるための画像情報であり、上記第１の外部情報処理装置は、上記画像情報に基づいて上記縮小画像を表示させ、上記縮小画像を用いたユーザ操作に基づいて上記選択情報を生成するようにしてもよい。これにより、第１の外部情報処理装置は、表示された縮小画像を用いたユーザ操作に基づいて選択情報を生成するという作用をもたらす。【００１５】
また、この第１の側面において、上記制御部は、上記第１の外部情報処理装置からの要求に応じて上記選択情報を生成する際に用いられるコンテンツ情報を上記第１の外部情報処理装置に送信して上記選択情報を上記第２の外部情報処理装置から取得し、上記第１の外部情報処理装置は、上記コンテンツ情報を用いて生成された上記選択情報を上記第２の外部情報処理装置に送信するようにしてもよい。これにより、情報処理装置は、第１の外部情報処理装置からの要求に応じてコンテンツ情報を第１の外部情報処理装置に送信し、選択情報を第２の外部情報処理装置から取得し、第１の外部情報処理装置は、コンテンツ情報を用いて生成された選択情報を第２の外部情報処理装置に送信するという作用をもたらす。【００１６】
また、この第１の側面において、上記情報処理装置は、上記第１の外部情報処理装置であり、上記制御部は、上記記録媒体に記録されているコンテンツについての画像認識処理により上記選択情報を生成するようにしてもよい。これにより、記録媒体に記録されているコンテンツについての画像認識処理により選択情報を生成するという作用をもたらす。【００１７】
また、この第１の側面において、上記制御部は、近距離無線通信を利用して上記第２の外部情報処理装置との接触または近接が検出された上記情報処理装置における位置に基づいて上記第２の外部情報処理装置への送信対象とするコンテンツを変更する。これにより、第２の外部情報処理装置との接触または近接が検出された情報処理装置における位置に基づいて、第２の外部情報処理装置への送信対象とするコンテンツを変更するという作用をもたらす。【００１８】
また、この第１の側面において、被写体を撮像して上記被写体を含むコンテンツを生成する撮像部をさらに具備し、上記制御部は、上記生成されたコンテンツを上記記録媒体に記録させるようにしてもよい。これにより、被写体を撮像してコンテンツを生成し、その生成されたコンテンツを記録媒体に記録させるという作用をもたらす。【００１９】
また、本技術の第２の側面は、撮像装置に記録されているコンテンツに関するコンテンツ情報を取得して上記コンテンツ情報に基づいて上記撮像装置に記録されているコンテンツのうちから他の情報処理装置への送信対象とするコンテンツを選択するための選択情報を生成する制御を行う制御部を具備する情報処理装置およびその制御方法ならびに当該方法をコンピュータに実行させるプログラムである。これにより、コンテンツ情報に基づいて選択情報を生成するという作用をもたらす。【００２０】
また、本技術の第３の側面は、撮像装置の記録媒体に記録されているコンテンツに関するコンテンツ情報を取得して上記コンテンツ情報に基づいて上記記録媒体に記録されているコンテンツのうちから他の情報処理装置への送信対象とするコンテンツを選択するための選択情報を生成する情報処理装置と、上記選択情報に基づいて上記記録媒体に記録されているコンテンツを上記他の情報処理装置に送信する撮像装置とを具備する情報処理システムおよびその制御方法ならびに当該方法をコンピュータに実行させるプログラムである。これにより、情報処理装置は、コンテンツ情報に基づいて選択情報を生成し、撮像装置は、その選択情報に基づいて、記録媒体に記録されているコンテンツを他の情報処理装置に送信するという作用をもたらす。
【発明の効果】
【００２１】
本技術によれば、装置間のコンテンツ送信を適切に行うことができるという優れた効果を奏し得る。なお、ここに記載された効果は必ずしも限定されるものではなく、本開示中に記載されたいずれかの効果であってもよい。
【図面の簡単な説明】
【００２２】
【図１】本技術の第１の実施の形態における撮像装置１００の外観構成を示す図である。
【図２】本技術の第１の実施の形態における撮像装置１００を情報処理装置２００に取り付けた場合の外観構成を示す図である。
【図３】本技術の第１の実施の形態における撮像装置１００および情報処理装置２００の機能構成例を示すブロック図である。
【図４】本技術の第１の実施の形態における撮像装置１００のハードウェア構成の一例を示す図である。
【図５】本技術の第１の実施の形態における情報処理装置２００のハードウェア構成の一例を示す図である。
【図６】本技術の第１の実施の形態における撮像装置１００および情報処理装置２００の使用例を示す図である。
【図７】本技術の第１の実施の形態における撮像装置１００および情報処理装置２００間で通信を開始する場合におけるユーザ操作の一例を示す図である。
【図８】本技術の第１の実施の形態における入出力部２４０に表示される画像選択画面３００の表示例を示す図である。
【図９】本技術の第１の実施の形態における撮像装置１００が保持する選択画像情報３１０を模式的に示す図である。
【図１０】本技術の第１の実施の形態における撮像装置１００から情報処理装置２００に送信される画像の一例を示す図である。
【図１１】本技術の第１の実施の形態における撮像装置１００による画像選択処理の処理手順の一例を示すフローチャートである。
【図１２】本技術の第１の実施の形態における撮像装置１００による画像送信処理の処理手順の一例を示すフローチャートである。
【図１３】本技術の第２の実施の形態における各装置間における情報のやりとりを模式的に示す図である。
【図１４】本技術の第２の実施の形態における情報処理装置２００による選択画像情報送信処理の処理手順の一例を示すフローチャートである。
【図１５】本技術の第２の実施の形態における撮像装置１００による画像送信処理の処理手順の一例を示すフローチャートである。
【図１６】本技術の第２の実施の形態における情報処理装置２０１による画像受信処理の処理手順の一例を示すフローチャートである。
【図１７】本技術の第３の実施の形態における撮像装置１００の記憶部１３０に記憶される画像リスト５００の内容例を模式的に示す図である。
【図１８】本技術の第３の実施の形態における撮像装置１００による画像送信処理の処理手順の一例を示すフローチャートである。
【発明を実施するための形態】
【００２３】
以下、本技術を実施するための形態（以下、実施の形態と称する）について説明する。説明は以下の順序により行う。
１．第１の実施の形態（選択画像情報を撮像装置が保持してその選択画像情報に基づいて情報処理装置に画像を送信する例）
２．第２の実施の形態（選択画像情報を情報処理装置が保持して、撮像装置がその選択画像情報に基づいてその情報処理装置に画像を送信する例）
３．第３の実施の形態（撮像装置に記憶されている画像の属性等に基づいて情報処理装置に画像を送信する例）
【００２４】
＜１．第１の実施の形態＞
［撮像装置の外観構成例］
図１は、本技術の第１の実施の形態における撮像装置１００の外観構成を示す図である。図１のａには、撮像装置１００の正面図を示し、図１のｂには、撮像装置１００の側面図（矢印Ａから見た場合における側面図）を示す。
【００２５】
また、本技術の実施の形態では、撮像装置１００を、円筒形（円柱形）の撮像装置（例えば、レンズスタイルのカメラ）とする例を示す。すなわち、撮像装置１００の形状を、一般の撮像装置（例えば、一体型カメラ）のレンズ部分を取り出したような形状とする例を示す。また、撮像装置１００は、例えば、デジタルスチルカメラやデジタルビデオカメラ（例えば、カメラ一体型レコーダ）により実現される。
【００２６】
撮像装置１００は、操作部材１６１乃至１６３と、鏡筒１７０とを備える。鏡筒１７０は、光学系、撮像系等の各部材を収容するものである。
【００２７】
また、撮像装置１００には、アダプタ１８０が取り付けられる。アダプタ１８０は、取付部材１８１、１８２を備え、撮像装置１００の後方の面（図１のａに示すレンズ側の面の反対側の面）に着脱可能な取付部材（アタッチメント）である。なお、図１では、鏡筒１７０およびアダプタ１８０を異なる部材として構成する例を示すが、鏡筒１７０およびアダプタ１８０を一体として構成するようにしてもよい。
【００２８】
操作部材１６１乃至１６３は、各種の操作入力を行う際に用いられる操作部材である。例えば、操作部材１６１は、撮像装置１００のシャッター操作（撮像部１１０（図３に示す）により生成される画像（画像データ）を画像コンテンツとして記録するための操作）を行う際に用いられる操作部材（シャッターボタン）である。また、操作部材１６２は、撮像装置１００のズーム操作を行う際に用いられる操作部材（ズームレバー）である。また、操作部材１６３は、撮像装置１００の電源のオンオフ操作を行う際に用いられる操作部材（電源ボタン）である。
【００２９】
取付部材１８１、１８２は、撮像装置１００を他の装置（例えば、図２に示す情報処理装置２００）に取り付ける際に用いられる挟持部材である。例えば、他の装置の形状、サイズに応じて、取付部材１８１を矢印１８３方向に移動させ、取付部材１８２を矢印１８４方向に移動させることにより、撮像装置１００をその装置に取り付けることができる。すなわち、取付部材１８１、１８２は、撮像装置１００を他の装置に固定するための挟持部材である。また、撮像装置１００を他の装置に装着する場合のアタッチメント面を装着面１８５（図１のａに示すレンズ側の面の反対側の面）として示す。なお、撮像装置１００を他の装置に取り付ける場合の例を図２に示す。
【００３０】
このように、撮像装置１００は、例えば、通常の撮像動作を行うことが可能であるとともに、他の装置（例えば、スマートフォン）に装着して使用することができる。また、他の装置に装着して使用する場合には、他の装置を用いた遠隔操作により撮像装置１００を操作することができる。
【００３１】
なお、矢印５１１、５１２で指し示す位置については、本技術の第３の実施の形態において説明する。
【００３２】
［撮像装置の取付例］
図２は、本技術の第１の実施の形態における撮像装置１００を情報処理装置２００に取り付けた場合の外観構成を示す図である。
【００３３】
図２のａおよびｂには、情報処理装置２００の一面（撮像部２９２が備えられている面）に撮像装置１００を取り付けた場合の例を示す。図２のａには、情報処理装置２００に撮像装置１００を取り付けた場合の正面図を示す。また、図２のｂには、情報処理装置２００に撮像装置１００を取り付けた場合の斜視図を示す。
【００３４】
情報処理装置２００は、操作部材２２１乃至２２３と、入出力部２４０（図３、図７等に示す）と、音声出力部２８０と、発光部２９１と、撮像部２９２とを備える。なお、情報処理装置２００は、例えば、スマートフォン、タブレット端末、ノートパソコン等の情報処理装置により実現される。
【００３５】
操作部材２２１乃至２２３は、各種の操作入力を行う際に用いられる操作部材である。例えば、操作部材２２１は、情報処理装置２００のシャッター操作（撮像部２９２により生成される画像（画像データ）を画像コンテンツとして記録するための操作）を行う際に用いられる操作部材（シャッターボタン）である。また、操作部材２２２は、音声出力部２８０から出力される音量を調整するための操作を行う際に用いられる操作部材（音量調整ボタン（音量バー））である。また、操作部材２２３は、情報処理装置２００の電源のオンオフ操作を行う際に用いられる操作部材（電源ボタン）である。
【００３６】
入出力部２４０は、各種画像を表示するとともに、入出力部２４０の表示面に近接または接触する物体の検出状態に基づいてユーザからの操作入力を受け付けるものである。
【００３７】
音声出力部２８０は、各種の音声情報を出力するものである。
【００３８】
発光部２９１は、被写体に対して光を発光させる発光装置である。発光部２９１は、例えば、夜間や室内等のように十分な明るさが期待できない環境において情報処理装置２００を用いて撮像動作を行う際に用いられる。
【００３９】
撮像部２９２は、被写体を撮像して画像（画像データ）を生成するものである。
【００４０】
図２に示すように、アダプタ１８０の取付部材１８１、１８２により情報処理装置２００の本体を挟むことにより、撮像装置１００を情報処理装置２００に固定することができる。なお、情報処理装置２００における他の部分（図２に示す部分以外の部分）に撮像装置１００を取り付けるようにしてもよい。
【００４１】
［撮像装置および情報処理装置の機能構成例］
図３は、本技術の第１の実施の形態における撮像装置１００および情報処理装置２００の機能構成例を示すブロック図である。なお、撮像装置１００は、請求の範囲に記載の情報処理装置、第１の外部情報処理装置の一例である。また、情報処理装置２００は、請求の範囲に記載の情報処理装置、第２の外部情報処理装置、他の情報処理装置の一例である。また、撮像装置１００および情報処理装置２００により構成される情報処理システムは、請求の範囲に記載の情報処理システムの一例である。
【００４２】
［撮像装置の機能構成例］
撮像装置１００は、撮像部１１０と、画像処理部１２０と、記憶部１３０と、制御部１４０と、無線通信部１５０と、操作受付部１６０とを備える。
【００４３】
撮像部１１０は、制御部１４０の制御に基づいて、被写体を撮像して画像（画像データ）を生成するものであり、生成された画像を画像処理部１２０に出力する。撮像部１１０は、例えば、光学系（複数のレンズ）、撮像素子により構成される。また、撮像部１１０は、制御部１４０の制御に基づいて、各部（例えば、ズームレンズ、フォーカスレンズ、絞り）が制御される。なお、本技術の実施の形態では、「画像」と記載した場合には、画像そのものと、その画像を表示するためのコンテンツ（画像コンテンツ（画像データ））との両方の意味を含むものとする。
【００４４】
画像処理部１２０は、制御部１４０の制御に基づいて、撮像部１１０から出力された画像について所定の画像処理（例えば、デモザイク処理）を施すものであり、その画像処理が施された画像を記憶部１３０に記憶させる。なお、画像処理部１２０により画像処理が施された画像については、無線通信を利用して情報処理装置２００に送信して記憶部２７０に記憶させるようにしてもよい。
【００４５】
記憶部１３０は、画像処理部１２０により画像処理が施された画像をコンテンツ（例えば、静止画ファイル、動画ファイル）として記憶する記録媒体である。なお、記憶部１３０は、撮像装置１００に内蔵するようにしてもよく、撮像装置１００から着脱可能とするようにしてもよい。
【００４６】
制御部１４０は、制御プログラムに基づいて撮像装置１００における各部を制御するものである。例えば、制御部１４０は、撮像装置１００に備えられているズームレバーやシャッターボタン等の操作部材（操作受付部１６０）により受け付けられた操作入力に基づいて各部を制御する。また、制御部１４０は、無線通信部１５０を介して受信される情報処理装置２００からの制御情報に基づいて各部を制御する。すなわち、情報処理装置２００を用いて撮像装置１００を遠隔操作することができる。また、例えば、制御部１４０は、撮像部１１０により生成され、画像処理部１２０により画像処理が施された画像を記憶部１３０に記録させる。
【００４７】
また、例えば、制御部１４０は、選択情報（選択画像情報）に基づいて、記憶部１３０に記録されている画像（コンテンツ）を情報処理装置２００に送信する制御を行う。ここで、選択情報（選択画像情報）は、例えば、記憶部１３０に記録されている画像（コンテンツ）のうちから送信対象となる画像（コンテンツ）を選択するための情報であり、情報処理装置２００において生成される情報である。
【００４８】
例えば、制御部１４０は、情報処理装置２００からの要求に応じて縮小画像（コンテンツ情報）を情報処理装置２００に送信する。また、縮小画像（コンテンツ情報）を受信した情報処理装置２００は、その縮小画像（コンテンツ情報）を表示させ、その縮小画像を用いたユーザ操作に基づいて選択情報（選択画像情報）を生成して撮像装置１００に送信する。そして、制御部１４０は、情報処理装置２００により生成された選択情報（選択画像情報）を取得する。なお、コンテンツ情報は、例えば、選択情報（選択画像情報）を生成する際に用いられる情報であり、送信対象となる画像（コンテンツ）を表す縮小画像を表示させるための画像情報である。
【００４９】
また、例えば、制御部１４０は、情報処理装置２００から選択情報（選択画像情報）を取得した場合には、その選択情報に基づいて画像（コンテンツ）を送信するための選択画像送信モード（特定送信モード）を設定する。そして、制御部１４０は、選択画像送信モードが設定されている状態で近距離無線通信を利用して情報処理装置２００との接触または近接が検出された場合に、その選択情報に基づいて選択される画像（コンテンツ）を情報処理装置２００に送信する。
【００５０】
無線通信部１５０は、制御部１４０の制御に基づいて、無線通信を利用して、他の情報処理装置（例えば、情報処理装置２００）との間で各情報（例えば、制御データ、画像データ）の送受信を行うものである。
【００５１】
ここで、無線通信として、例えば、無線ＬＡＮ（Local Area Network）を用いることができる。この無線ＬＡＮとして、例えば、Ｗｉ−Ｆｉ（Wireless Fidelity）を用いることができる。また、無線通信として、例えば、Ｂｌｕｅｔｏｏｔｈ（登録商標）、ＮＦＣ（Near Field Communication）、赤外線、携帯電話用電波等の無線通信を用いることができる。
【００５２】
また、無線通信部１５０は、複数の無線通信方式を用いることができる。例えば、無線通信部１５０は、近距離無線通信部１５１および遠距離無線通信部１５２を備えることができる。ここで、近距離無線通信部１５１は、接触または近接する程度の範囲内で無線通信を行うことが可能な無線通信部である。また、遠距離無線通信部１５２は、近距離無線通信部１５１よりも広い範囲内で無線通信（遠距離用の遠距離無線通信）を行う無線通信部である。ここで、近距離無線通信として、ＮＦＣ、Ｂｌｕｅｔｏｏｔｈ、赤外線を用いることができる。また、遠距離無線通信として、Ｂｌｕｅｔｏｏｔｈ、Ｗｉ−Ｆｉ、携帯電話用電波を用いることができる。
【００５３】
例えば、無線通信の開始時には、近距離無線通信部１５１が、ＮＦＣにより電源のオンとＷｉ−Ｆｉに関するデータ（例えば、ＳＳＩＤ（Service Set Identifier））のやりとりを行う。そして、これ以降のデータのやりとりについては、遠距離無線通信部１５２が、Ｗｉ−Ｆｉにより行うことができる。
【００５４】
また、例えば、撮像装置１００の情報処理装置２００への装着、接触、近接等を検出する際には、近距離無線通信部１５１（例えば、ＮＦＣ）によるデータのやりとりを用いることができる。また、撮像装置１００および情報処理装置２００間の画像データや制御データのやりとりについては、遠距離無線通信部１５２（例えば、Ｗｉ−Ｆｉ）を利用して行うことができる。
【００５５】
操作受付部１６０は、ユーザにより行われた操作を受け付ける操作受付部であり、受け付けられた操作内容に応じた制御情報（操作情報）を制御部１４０に出力する。なお、操作受付部１６０は、例えば、図１に示す操作部材１６１乃至１６３に対応する。
【００５６】
［情報処理装置の機能構成例］
情報処理装置２００は、姿勢検出部２１０と、操作受付部２２０と、無線通信部２３０と、入出力部２４０と、制御部２５０と、画像処理部２６０と、記憶部２７０と、音声出力部２８０とを備える。
【００５７】
姿勢検出部２１０は、情報処理装置２００の加速度、動き、傾き等を検出することにより情報処理装置２００の姿勢を検出するものであり、検出された姿勢に関する姿勢情報を制御部２５０に出力する。なお、姿勢検出部２１０として、例えば、ジャイロセンサ、加速度センサ等の各種センサを用いることができる。
【００５８】
操作受付部２２０は、ユーザにより行われた操作を受け付ける操作受付部であり、受け付けられた操作内容に応じた制御情報（操作情報）を制御部２５０に出力する。なお、操作受付部２２０は、例えば、図２に示す操作部材２２１乃至２２３に対応する。
【００５９】
無線通信部２３０は、制御部２５０の制御に基づいて、無線通信を利用して他の情報処理装置（例えば、撮像装置１００）との間で各情報（例えば、制御データ、画像データ）の送受信を行うものである。無線通信として、例えば、上述した無線ＬＡＮ（例えば、Ｗｉ−Ｆｉ）、ＮＦＣ、Ｂｌｕｅｔｏｏｔｈ、赤外線、携帯電話用電波等を用いることができる。また、複数の無線通信方式を用いるようにしてもよい。
【００６０】
このように、無線通信部２３０は、近距離無線通信部２３１および遠距離無線通信部２３２を備えることができる。なお、近距離無線通信部２３１は、撮像装置１００の近距離無線通信部１５１に対応し、遠距離無線通信部２３２は、撮像装置１００の遠距離無線通信部１５２に対応するものとする。
【００６１】
入出力部２４０は、入力部２４１および表示部２４２が一体として構成されているものである。また、入出力部２４０は、制御部２５０の制御に基づいて各種画像を表示部２４２に表示するとともに、表示部２４２の表示面に近接または接触する物体の検出状態に基づいてユーザからの操作入力を入力部２４１により受け付ける。また、入力部２４１は、受け付けられた操作入力に応じた制御情報を制御部２５０に出力する。
【００６２】
例えば、入力部２４１として、導電性を有する物体（例えば、人物の指）の接触または近接を、静電容量の変化に基づいて検出する静電式（静電容量方式）のタッチパネルを用いることができる。また、例えば、表示部２４２として、ＬＣＤ（Liquid Crystal Display）、有機ＥＬ（Electro Luminescence）パネル等の表示パネルを用いることができる。そして、入出力部２４０は、例えば、表示パネルの表示面上に、透明なタッチパネルを重ね合わせることにより構成される。
【００６３】
例えば、ユーザは表示部２４２に表示されている操作対象物等の接触操作（または、近接操作）を行うことにより情報処理装置２００や撮像装置１００の操作が可能となる。ここで、操作対象物は、例えば、入出力部２４０に表示されるシャッターボタン等であり、操作入力を行うための操作ボタン（ＧＵＩ（Graphical User Interface）ボタン）等である。
【００６４】
制御部２５０は、制御プログラムに基づいて情報処理装置２００における各部を制御するものである。例えば、制御部２５０は、姿勢検出部２１０からの姿勢情報に基づいて、情報処理装置２００の姿勢を判断し、この判断結果に基づいて、入出力部２４０に表示させる表示画面の表示態様を切り替える。例えば、制御部２５０は、姿勢検出部２１０からの姿勢情報に基づいて、情報処理装置２００の姿勢の上下方向を判断し、この判断結果に基づいて、入出力部２４０に表示させる表示画面の上下方向を切り替える。
【００６５】
また、例えば、制御部２５０は、撮像装置１００から送信された画像（コンテンツ）を記憶部２７０に記録するとともに、入出力部２４０に表示させる制御を行う。
【００６６】
また、例えば、制御部２５０は、撮像装置１００の記憶部１３０に記憶されているコンテンツに関する縮小画像（コンテンツ情報）を取得する。そして、制御部２５０は、縮小画像（コンテンツ情報）に基づいて、撮像装置１００の記憶部１３０に記録されている画像（コンテンツ）のうちから他の情報処理装置への送信対象とする画像（コンテンツ）を選択するための選択情報を生成する制御を行う。
【００６７】
画像処理部２６０は、制御部２５０の制御に基づいて、撮像装置１００により生成された画像や撮像部２９２（図２のａおよびｂに示す）により生成された画像について所定の画像処理を施すものであり、その画像処理が施された画像を表示部２４２に表示させる。また、画像処理部２６０は、制御部２５０の制御に基づいて、それらの画像を記憶部２７０に記憶させる。また、画像処理部２６０は、制御部２５０の制御に基づいて、撮像装置１００を用いた撮像動作が行われている場合に用いられる表示画面を表示部２４２に表示させる。
【００６８】
記憶部２７０は、制御部２５０の制御に基づいて、各情報を記憶する記録媒体である。例えば、記憶部２７０には、撮像装置１００により生成された画像や撮像部２９２（図２のａおよびｂに示す）により生成された画像がコンテンツ（例えば、静止画ファイル、動画ファイル）として記憶される。なお、記憶部２７０は、情報処理装置２００に内蔵するようにしてもよく、情報処理装置２００から着脱可能とするようにしてもよい。
【００６９】
音声出力部２８０は、制御部２５０の制御に基づいて、音声情報を出力するものである。音声出力部２８０は、例えば、スピーカにより実現することができる。
【００７０】
〔撮像装置のハードウェア構成例〕
図４は、本技術の第１の実施の形態における撮像装置１００のハードウェア構成の一例を示す図である。
【００７１】
撮像装置１００は、ＭＰＵ（Micro  Processing  Unit）６１０と、ＲＯＭ（Read Only Member）６２０と、ＲＡＭ（Random Access Memory）６３０とを備える。また、撮像装置１００は、記録媒体６４０と、入出力インタフェース６５０と、撮像デバイス６６０と、操作入力デバイス６７０と、表示デバイス６８０と、通信インタフェース６９０とを備える。また、撮像装置１００は、例えば、データの伝送路としてのバス６００で各構成要素間を接続する。
【００７２】
ＭＰＵ６１０は、ＭＰＵや、画像処理等の各種機能を実現するための複数の回路が集積された集積回路等により構成される。また、ＭＰＵ６１０は、撮像装置１００全体を制御する制御部１４０（図３に示す）として機能する。また、ＭＰＵ６１０は、撮像装置１００において、画像処理部１２０（図３に示す）としての役目を果たす。
【００７３】
ＲＯＭ６２０は、ＭＰＵ６１０が使用するプログラムや演算パラメータ等の制御用データ等を記憶する。ＲＡＭ６３０は、例えば、ＭＰＵ６１０により実行されるプログラム等を一時的に記憶する。
【００７４】
記録媒体６４０は、記憶部１３０（図３に示す）として機能し、例えば、処理情報等の様々なデータ（または、データベース）、アプリケーション等を記憶する。ここで、記録媒体６４０として、例えば、ハードディスク等の磁気記録媒体を用いることができる。また、記録媒体６４０として、例えば、不揮発性メモリ（nonvolatile memory）を用いることができる。この不揮発性メモリは、例えば、ＥＥＰＲＯＭ（Electrically Erasable and Programmable Read Only Memory）、フラッシュメモリ（flash memory）である。また、不揮発性メモリは、例えば、ＭＲＡＭ（Magnetoresistive Random Access Memory）である。また、不揮発性メモリは、例えば、ＦｅＲＡＭ（Ferroelectric Random Access Memory）、ＰＲＡＭ（Phase change Random Access Memory）である。また、撮像装置１００は、撮像装置１００から着脱可能な記録媒体６４０を備えるようにしてもよい。
【００７５】
入出力インタフェース６５０は、例えば、撮像デバイス６６０、操作入力デバイス６７０、表示デバイス６８０を接続する。入出力インタフェース６５０として、例えば、ＵＳＢ（Universal Serial Bus）端子、ＤＶＩ（Digital Visual Interface）端子を用いることができる。また、入出力インタフェース６５０として、例えば、ＨＤＭＩ（登録商標）（High-Definition Multimedia Interface）端子、各種処理回路等を用いることができる。なお、入出力インタフェース６５０は、外部デバイスと接続することもできる。外部デバイスは、例えば、撮像装置１００の外部装置としての操作入力デバイス（例えば、キーボード、マウス）、表示デバイス（例えば、外部表示デバイス）、撮像デバイス（例えば、撮像装置）である。
【００７６】
撮像デバイス６６０は、撮像部１１０（図３に示す）として機能するデバイスである。例えば、撮像デバイス６６０として、光学系と撮像素子と信号処理回路とから構成される撮像デバイスを用いることができる。この場合には、撮像装置１００は、自装置が生成した撮像画像を処理することができる。ここで、光学系は、例えば、光学系のレンズを意味する。また、撮像素子は、例えば、ＣＣＤ（Charge Coupled Device）、ＣＭＯＳ（Complementary Metal Oxide Semiconductor）等の撮像素子である。また、光学系および撮像素子は、光学系のレンズと、上述した撮像素子を複数用いたイメージセンサとで構成することができる。また、信号処理回路は、例えば、ＡＧＣ（Automatic Gain Control）回路、ＡＤＣ（Analog to Digital Converter）を備える。そして、信号処理回路は、例えば、撮像素子により生成されたアナログ信号をデジタル信号（画像データ）に変換し、各種信号処理を行う。信号処理回路が行う信号処理として、例えば、Ｗｈｉｔｅ  Ｂａｌａｎｃｅ補正処理、補間処理、色調補正処理、ガンマ補正処理、ＹＣｂＣｒ変換処理、エッジ強調処理、コーディング処理等が挙げられる。
【００７７】
操作入力デバイス６７０は、操作受付部１６０（図３に示す）として機能するデバイスである。例えば、操作入力デバイス６７０は、撮像装置１００上に備えられ、撮像装置１００の内部で入出力インタフェース６５０と接続される。また、例えば、操作入力デバイス６７０として、ボタン、方向キー、ジョグダイヤル等の回転型セレクター、または、これらの組み合わせ等を用いることができる。
【００７８】
表示デバイス６８０は、表示部（図示せず）として機能するデバイスである。例えば、表示デバイス６８０は、撮像装置１００上に備えられ、撮像装置１００の内部で入出力インタフェース６５０と接続される。なお、撮像装置１００には表示デバイス６８０として簡易的なものが備えられる。このため、撮像装置１００に備えられる表示デバイス６８０には、撮像部１１０により生成された画像等を表示することはできないものとする。また、表示デバイス６８０は、例えば、表示とユーザ操作とが可能なデバイス（例えば、タッチスクリーン）で構成するようにしてもよい。
【００７９】
通信インタフェース６９０は、撮像装置１００が備える通信手段であり、ネットワークを介して（または、直接的に）情報処理装置２００や外部装置（例えば、サーバ（図示せず））と無線通信を行うための無線通信部１５０（図３に示す）として機能する。ここで、通信インタフェース６９０として、例えば、通信アンテナおよびＲＦ（Radio Frequency）回路（無線通信）を用いることができる。また、通信インタフェース６９０として、例えば、ＩＥＥＥ（Institute of Electrical and Electronic Engineers）８０２．１５．１ポートおよび送受信回路（無線通信）を用いることができる。また、通信インタフェース６９０として、例えば、ＩＥＥＥ８０２．１１ｂポートおよび送受信回路（無線通信）、ＬＡＮ端子および送受信回路（有線通信）等を用いることができる
【００８０】
なお、図４に示す撮像装置１００のハードウェア構成は、一例であり、撮像装置１００のハードウェア構成は、これらに限定されない。
【００８１】
例えば、撮像装置１００は、音声出力部の役目を果たすデバイスを備えるようにしてもよい。このデバイスは、例えば、図５に示す音声出力デバイス７５４である。
【００８２】
また、撮像装置１００は、例えば、操作デバイス６７０や表示デバイス６８０を備えない構成とするようにしてもよい。
【００８３】
〔情報処理装置のハードウェア構成例〕
図５は、本技術の第１の実施の形態における情報処理装置２００のハードウェア構成の一例を示す図である。
【００８４】
情報処理装置２００は、ＭＰＵ７１０と、ＲＯＭ７２０と、ＲＡＭ７３０と、記録媒体７４０とを備える。また、情報処理装置２００は、入出力インタフェース７５０と、姿勢検出デバイス７５１と、操作入力デバイス７５２と、表示デバイス７５３と、音声出力デバイス７５４と、通信インタフェース７６０とを備える。また、情報処理装置２００は、例えば、データの伝送路としてのバス７００で各構成要素間を接続する。
【００８５】
ここで、ＭＰＵ７１０、ＲＯＭ７２０、ＲＡＭ７３０、記録媒体７４０、入出力インタフェース７５０、操作入力デバイス７５２、表示デバイス７５３および通信インタフェース７６０は、図４に示す撮像装置１００における同一名称の各部に対応する。このため、ここでは、図４に示す各部と異なる点を中心にして説明し、これらについての詳細な説明を省略する。なお、表示デバイス７５３として、液晶ディスプレイ（Liquid Crystal Display；ＬＣＤ）を用いることができる。また、表示デバイス７５３として、有機ＥＬディスプレイ（organic ElectroLuminescence display）、ＯＬＥＤディスプレイ（Organic Light Emitting Diode display）とも称される。）等を用いることができる。
【００８６】
ＭＰＵ７１０は、情報処理装置２００全体を制御する制御部２５０（図３に示す）として機能する。また、ＭＰＵ７１０は、情報処理装置２００において、画像処理部１２０（図３に示す）としての役目を果たす。
【００８７】
記録媒体７４０は、記憶部２７０（図３に示す）として機能する。
【００８８】
入出力インタフェース７５０は、例えば、姿勢検出デバイス７５１、操作入力デバイス７５２、表示デバイス７５３、音声出力デバイス７５４を接続する。
【００８９】
姿勢検出デバイス７５１は、姿勢検出部２１０（図３に示す）として機能するデバイスである。例えば、姿勢検出デバイス７５１として、ジャイロセンサ、加速度センサ等の各種センサを用いることができる。
【００９０】
音声出力デバイス７５４は、音声出力部２８０（図３に示す）として機能するデバイスである。このデバイスは、例えば、ＤＳＰ（Digital Signal Processor）と、増幅器（アンプ）と、スピーカとから構成される音声出力デバイスである。この場合には、情報処理装置２００は、ユーザの所定の動作に対応する処理として、例えば、音声のミュートや音量の調整を行うことが可能となる。
【００９１】
なお、図５に示す情報処理装置２００のハードウェア構成は、一例であり、情報処理装置２００のハードウェア構成は、これらに限定されない。
【００９２】
［撮像装置および情報処理装置の使用例］
図６は、本技術の第１の実施の形態における撮像装置１００および情報処理装置２００の使用例を示す図である。
【００９３】
図６のａには、情報処理装置２００に撮像装置１００を装着して使用する場合の一例を示す。例えば、図２のａおよびｂに示すように、情報処理装置２００の一面（入出力部２４０が設けられている面の反対側の面）に撮像装置１００を装着することができる。この場合には、ユーザ１は、撮像装置１００が装着されている情報処理装置２００を用いて、一般の撮像装置（例えば、一体型カメラ）を使用した撮影と略同様に撮影を行うことができる。
【００９４】
図６のｂには、情報処理装置２００に撮像装置１００を装着せずに使用する場合の一例を示す。例えば、図６のｂに示すように、情報処理装置２００から離れている場所に撮像装置１００を設置することができる。この場合でも、ユーザ１は、情報処理装置２００を用いて撮像装置１００を遠隔操作することができるため、撮像装置１００および情報処理装置２００を用いた撮影を行うことができる。
【００９５】
図６のｃには、情報処理装置２００を用いずに撮像装置１００を使用する場合の一例を示す。この場合でも、ユーザ１は、撮像装置１００の操作部材を用いて撮影を行うことができる。ただし、撮像装置１００は、撮像部１１０により生成された画像を表示するための表示部を備えていない。このため、情報処理装置２００を用いずに撮像装置１００を使用する場合には、ユーザ１は、撮影した画像をすぐには確認することができない。
【００９６】
また、撮像装置１００には、記憶部１３０に記憶された画像を表示するための表示部が存在しない。このため、例えば、ユーザ１は、撮像装置１００から情報処理装置２００に送信する画像を、撮像装置１００において容易に選択することができないおそれがある。同様に、例えば、ユーザ１は、撮像装置１００から他のユーザが所有する情報処理装置に送信する画像を、撮像装置１００において容易に選択することができないおそれがある。
【００９７】
そこで、本技術の第１の実施の形態では、撮像装置１００および情報処理装置の接触（または、近接）が検出されたタイミングで、ユーザにより選択された画像を撮像装置１００から情報処理装置に自動で送信する例を示す。
【００９８】
［撮像装置および情報処理装置間の通信開始例］
図７は、本技術の第１の実施の形態における撮像装置１００および情報処理装置２００間で通信を開始する場合におけるユーザ操作の一例を示す図である。また、本技術の第１の実施の形態では、撮像装置１００に情報処理装置２００が接触（または、近接）した場合に、撮像装置１００および情報処理装置２００間の接続が開始される例を示す。
【００９９】
例えば、ＮＦＣでは、装置間で定期的な通信が行われる。例えば、情報処理装置２００から定期的にＰｏｌｌｉｎｇ  Ｃｏｍｍａｎｄが発行される。このＰｏｌｌｉｎｇ  Ｃｏｍｍａｎｄは、ＮＦＣ規格で定められているＮＦＣ  Ｔａｇの判別用コマンドである（例えば、NFC Forum Type3 Tag Operation Specification NFC Forum-TS-Type-3-Tag_1.1参照。）。
【０１００】
例えば、撮像装置１００は、情報処理装置２００から発行されたＰｏｌｌｉｎｇ  Ｃｏｍｍａｎｄを受信した場合には、Ｐｏｌｌｉｎｇ  Ｃｏｍｍａｎｄに対する応答（Ｐｏｌｌｉｎｇ  Ｒｅｓｐｏｎｃｅ）を情報処理装置２００に送信する。なお、ＮＦＣを利用したデータ通信が可能となる距離は、１乃至１０ｃｍ程度であるため、ＮＦＣを利用したデータ通信を行う場合には、撮像装置１００における所定位置に情報処理装置２００を接触（または、近接）させる必要がある。
【０１０１】
例えば、撮像装置１００および情報処理装置２００の接触がＮＦＣにより検出された場合には、撮像装置１００および情報処理装置２００間でＷｉ−Ｆｉのペアリングが行われ、撮像装置１００および情報処理装置２００間でのＷｉ−Ｆｉ接続が開始される。
【０１０２】
例えば、撮像装置１００の記憶部１３０に記憶されている画像のうちから送信対象とする画像を選択する場合には、ユーザ１は、撮像装置１００における所定位置に情報処理装置２００を接触させるようにする。
【０１０３】
このように、撮像装置１００における所定位置に情報処理装置２００を接触させた場合には、その接触がＮＦＣにより検出される。そして、撮像装置１００および情報処理装置２００間でＷｉ−Ｆｉのペアリングが行われ、撮像装置１００および情報処理装置２００間でのＷｉ−Ｆｉ接続が開始される。
【０１０４】
このように、無線通信を利用して撮像装置１００および情報処理装置２００が接続された場合には、撮像装置１００から情報処理装置２００に縮小画像が送信される。この縮小画像は、撮像装置１００の記憶部１３０に記憶されている画像の縮小画像（例えば、サムネイル画像）である。
【０１０５】
情報処理装置２００の制御部２５０は、縮小画像を受信した場合には、受信した縮小画像を入出力部２４０に表示させる。この表示例を図８に示す。
【０１０６】
なお、この例では、情報処理装置２００からＰｏｌｌｉｎｇ  Ｃｏｍｍａｎｄを発行し、情報処理装置２００において撮像装置１００の接触または近接を検出する例を示した。ただし、撮像装置１００からＰｏｌｌｉｎｇ  Ｃｏｍｍａｎｄを発行し、撮像装置１００において情報処理装置２００の接触または近接を検出するようにしてもよい。また、Ｐｏｌｌｉｎｇ  Ｃｏｍｍａｎｄを発行する装置と、他の装置の接触または近接を検出する装置とが異なるようにしてもよい。これらの場合には、必要に応じて、装置間で検出結果等の情報をやりとりするものとする。
【０１０７】
なお、この例では、他の撮像装置の接触または近接がＮＦＣにより検出された場合には、各装置間でのＷｉ−Ｆｉ接続を開始する例を示した。ただし、他の装置の接触または近接をトリガとして、各装置間でのＷｉ−Ｆｉ接続を開始することができれば、他の接触検出方法または他の近接検出方法を用いるようにしてもよい。
【０１０８】
［送信対象とする画像の選択例］
図８は、本技術の第１の実施の形態における入出力部２４０に表示される画像選択画面３００の表示例を示す図である。
【０１０９】
画像選択画面３００は、撮像装置１００の記憶部１３０に記憶されている画像を一覧表示するための表示画面である。また、ユーザは、画像選択画面３００を用いて、送信対象とする画像を選択する選択操作を行うことができる。
【０１１０】
画像選択画面３００には、撮像装置１００の記憶部１３０に記憶されている画像の縮小画像が一覧表示されるとともに、クリアボタン３０１および確定ボタン３０２が表示される。また、各縮小画像の左上側には、画像の選択状態を示すチェックボックスが設けられている。例えば、選択状態である場合にはチェックボックスにチェックマークが表示され、選択状態でない場合にはチェックボックスには何も表示されない。
【０１１１】
例えば、ユーザは、画像選択画面３００に一覧表示されている画像のうちで、送信対象とする画像を選択する場合には、送信対象とする画像をタッチするタッチ操作を行う。このタッチ操作が行われると、そのタッチ操作が行われた画像のチェックボックスにチェックマークが表示される。また、選択状態である画像をタッチするタッチ操作が行われると、そのタッチ操作が行われた画像のチェックボックスからチェックマークが消去される。すなわち、選択状態である画像のタッチ操作が再度行われると、その選択状態が解除される。
【０１１２】
また、クリアボタン３０１の押下操作を行うことにより、選択状態である全ての画像の選択状態を解除することができる。
【０１１３】
また、選択状態である画像の選択を確定させる場合には、確定ボタン３０２の押下操作を行う。確定ボタン３０２が押下された場合には、その押下操作の際に選択状態であった画像の選択が確定する。そして、情報処理装置２００の制御部２５０は、選択が確定した画像に関する情報（選択画像情報）を撮像装置１００に送信する。そして、撮像装置１００は、情報処理装置２００から送信された選択画像情報を保持する。
【０１１４】
ここで、選択画像情報は、各画像が送信対象となる画像として選択されたか否かを示す情報である。この選択画像情報を図９に模式的に示す。
【０１１５】
［選択画像情報例］
図９は、本技術の第１の実施の形態における撮像装置１００が保持する選択画像情報３１０を模式的に示す図である。
【０１１６】
選択画像情報３１０は、撮像装置１００の記憶部１３０に記憶されている各画像が送信対象となる画像として選択されたか否かを示す情報である。例えば、各画像を識別するためのコンテンツ識別情報３１１と、選択の有無を示す選択情報３１２とが関連付けられている情報を、選択画像情報３１０とすることができる。
【０１１７】
なお、図９では、説明の容易のため、コンテンツ識別情報３１１として、各画像を表す縮小画像を格納する例を示す。また、選択情報３１２として、選択状態である画像の欄には「１」を格納し、選択状態でない画像の欄には「０」を格納する例を示す。
【０１１８】
なお、選択情報３１２は、画像コンテンツ（画像ファイル）内に記録するようにしてもよく、画像コンテンツとは異なる他のファイル（例えば、画像管理ファイル）に記録するようにしてもよい。
【０１１９】
［画像の送信例］
図１０は、本技術の第１の実施の形態における撮像装置１００から情報処理装置２０１に送信される画像の一例を示す図である。図１０では、図９に示す選択画像情報３１０に基づいて、記憶部１３０に記憶されている画像を情報処理装置２０１に送信する例を示す。なお、情報処理装置２０１は、情報処理装置２００と同様の情報処理装置である。また、情報処理装置２０１が備える記憶部２７１は、情報処理装置２００が備える記憶部２７０に対応する。
【０１２０】
例えば、撮像装置１００の記憶部１３０に記憶されている各画像のうち、図９に示す選択画像情報３１０の選択情報３１２に「１」が格納されている画像が情報処理装置２０１に送信される。そして、情報処理装置２０１の制御部は、撮像装置１００から送信された画像を受信した場合には、その受信した画像を記憶部２７１に記憶させる。また、情報処理装置２０１の制御部は、所定のタイミング（例えば、受信時のタイミング、ユーザ操作により表示指示がされたタイミング）で、記憶部２７１に記憶された各画像を情報処理装置２０１の入出力部に表示させる。
【０１２１】
［撮像装置の動作例］
図１１は、本技術の第１の実施の形態における撮像装置１００による画像選択処理の処理手順の一例を示すフローチャートである。図１１では、情報処理装置２００において画像選択を行う場合の例を示す。
【０１２２】
最初に、制御部１４０は、情報処理装置２００の接触（または、近接）が検出されたか否かを判断する（ステップＳ９０１）。情報処理装置２００の接触が検出されていない場合には（ステップＳ９０１）、監視を継続して行う。なお、撮像装置１００が接触（または、近接）を検出する代わりに、情報処理装置２００が撮像装置１００の接触（または、近接）を検出してその検出結果を撮像装置１００に送信するようにしてもよい。この場合には、情報処理装置２００からの検出結果に基づいて、制御部１４０は、情報処理装置２００の接触（または、近接）が検出されたか否かを判断する（ステップＳ９０１）。
【０１２３】
また、情報処理装置２００の接触が検出された場合には（ステップＳ９０１）、制御部１４０は、無線通信（例えば、Ｗｉ−Ｆｉ）を利用して、情報処理装置２００との接続を開始する（ステップＳ９０２）。
【０１２４】
続いて、制御部１４０は、無線通信を利用して、記憶部１３０に記憶されている画像の縮小画像（縮小画像の画像データ）を情報処理装置２００に送信する（ステップＳ９０３）。
【０１２５】
続いて、制御部１４０は、情報処理装置２００から選択画像情報を受信したか否かを判断する（ステップＳ９０４）。そして、選択画像情報を受信していない場合には（ステップＳ９０４）、監視を継続して行う。また、情報処理装置２００から選択画像情報を受信した場合には（ステップＳ９０４）、制御部１４０は、撮像装置１００において選択画像送信モードを設定する（ステップＳ９０５）。
【０１２６】
［撮像装置の動作例］
図１２は、本技術の第１の実施の形態における撮像装置１００による画像送信処理の処理手順の一例を示すフローチャートである。図１２では、情報処理装置２００以外の他の情報処理装置に画像を送信する例を示す。なお、ステップＳ９１１、Ｓ９１２は、図１１に示すステップＳ９０１、Ｓ９０２に対応するため、ここでの説明を省略する。
【０１２７】
制御部１４０は、無線通信を利用した情報処理装置との接続が開始された後に（ステップＳ９１２）、撮像装置１００において選択画像送信モードが設定されているか否かを判断する（ステップＳ９１３）。
【０１２８】
選択画像送信モードが設定されている場合には（ステップＳ９１３）、制御部１４０は、記憶部１３０に記憶されている各画像のうち、選択画像情報により特定される選択画像を、その情報処理装置に送信する（ステップＳ９１４）。なお、ステップＳ９１４は、請求の範囲に記載の送信手順の一例である。
【０１２９】
また、選択画像送信モードが設定されていない場合には（ステップＳ９１３）、制御部１４０は、記憶部１３０に記憶されている全ての画像を、その情報処理装置に送信する（ステップＳ９１５）。
【０１３０】
＜２．第２の実施の形態＞
本技術の第１の実施の形態では、選択画像情報を撮像装置が保持してその選択画像情報に基づいて情報処理装置に画像を送信する例を示した。ここで、選択画像情報を生成した情報処理装置が、その選択画像情報を他の情報処理装置に送信するようにしてもよい。この場合には、他の情報処理装置がその選択画像情報を保持して、撮像装置は、その選択画像情報に基づいて他の情報処理装置に画像を送信することができる。
【０１３１】
そこで、本技術の第２の実施の形態では、選択画像情報を情報処理装置が保持して、撮像装置がその選択画像情報に基づいてその情報処理装置に画像を送信する例を示す。なお、本技術の第２の実施の形態における撮像装置および情報処理装置の構成については、図１乃至図３に示す撮像装置１００および情報処理装置２００と同一である。このため、本技術の第２の実施の形態における各装置については、本技術の第１の実施の形態と同一の符号を付してこれらの説明の一部を省略する。
【０１３２】
［各装置間における情報のやりとり例］
図１３は、本技術の第２の実施の形態における各装置間における情報のやりとりを模式的に示す図である。図１３では、撮像装置１００と、情報処理装置２００と、情報処理装置２０１との間で行われる情報のやりとりの一例を示す。なお、情報処理装置２０１は、情報処理装置２００と同様の情報処理装置である。
【０１３３】
本技術の第１の実施の形態で示したように、情報処理装置２００を用いて選択画像情報を生成する場合には、撮像装置１００から情報処理装置２００に縮小画像（縮小画像の画像データ）４０１が送信される。また、その縮小画像を用いて情報処理装置２００により選択画像情報４０２が生成される。
【０１３４】
また、情報処理装置２００の制御部２５０は、そのように生成された選択画像情報４０２を、他の情報処理装置（情報処理装置２０１）に送信する。選択画像情報４０２の送信は、各通信方法を用いて行うことができる。例えば、電子メールを用いて選択画像情報４０２を送信するようにしてもよく、ＳＮＳ（Social Networking Service）を経由して選択画像情報４０２を送信するようにしてもよい。また、近距離無線通信（例えば、ＮＦＣ）を利用して選択画像情報４０２を送信するようにしてもよく、他の無線通信（例えば、Ｗｉ−Ｆｉ）を利用して選択画像情報４０２を送信するようにしてもよい。
【０１３５】
このように、情報処理装置２００を用いて生成された選択画像情報４０２を、情報処理装置２０１に渡すことができる。すなわち、情報処理装置間で選択画像情報４０２の受け渡しをすることができる。
【０１３６】
また、情報処理装置２０１は、受信した選択画像情報４０２に基づいて、撮像装置１００に画像送信要求を行うことができる（４０３）。例えば、情報処理装置２０１の制御部は、受信した選択画像情報４０２を撮像装置１００に送信する。そして、撮像装置１００は、情報処理装置２０１から送信された選択画像情報４０２に基づいて、記憶部１３０に記憶されている画像のうちの選択画像を情報処理装置２０１に送信する（４０４）。なお、この送信方法については、本技術の第１の実施の形態と同様であるため、ここでの詳細な説明を省略する。
【０１３７】
なお、図１３では、選択画像情報４０２を生成した情報処理装置２００から、他の情報処理装置（情報処理装置２０１）にその選択画像情報４０２を送信する例を示した。ただし、選択画像情報４０２を受信した情報処理装置２０１が、さらに他の情報処理装置に選択画像情報４０２を送信するようにしてもよい。この場合には、選択画像情報４０２を受信した他の情報処理装置（情報処理装置２００、２０１以外の情報処理装置）は、受信した選択画像情報４０２に基づいて、撮像装置１００に画像送信要求を行うことができる。この場合における画像送信要求および画像送信については、撮像装置１００および情報処理装置２０１間におけるやりとりと同様であるため、ここでの説明を省略する。
【０１３８】
このように、選択画像情報のやりとりを情報処理装置間で行うことにより、選択画像情報を生成した情報処理装置以外の他の情報処理装置にも、撮像装置から選択画像を容易に送信することができる。例えば、情報処理装置２００のユーザが選択した画像（撮像装置１００に記憶されている画像）を、友人が所有する情報処理装置２０１に容易に送信することができる。
【０１３９】
［情報処理装置の動作例］
図１４は、本技術の第２の実施の形態における情報処理装置２００による選択画像情報送信処理の処理手順の一例を示すフローチャートである。図１４では、情報処理装置２００が選択画像情報を生成し、この選択画像情報を他の情報処理装置に送信する例を示す。
【０１４０】
最初に、制御部２５０は、撮像装置１００の接触（または、近接）が検出されたか否かを判断する（ステップＳ９２１）。撮像装置１００の接触が検出されていない場合には（ステップＳ９２１）、監視を継続して行う。なお、情報処理装置２００が接触（または、近接）を検出する代わりに、撮像装置１００が情報処理装置２００の接触（または、近接）を検出してその検出結果を情報処理装置２００に送信するようにしてもよい。この場合には、撮像装置１００からの検出結果に基づいて、制御部２５０は、撮像装置１００の接触（または、近接）が検出されたか否かを判断する（ステップＳ９２１）。
【０１４１】
また、撮像装置１００の接触が検出された場合には（ステップＳ９２１）、制御部２５０は、無線通信（例えば、Ｗｉ−Ｆｉ）を利用して、撮像装置１００との接続を開始する（ステップＳ９２２）。
【０１４２】
続いて、制御部２５０は、無線通信を利用して、撮像装置１００から縮小画像（縮小画像の画像データ）を受信したか否かを判断する（ステップＳ９２３）。そして、縮小画像を受信していない場合には（ステップＳ９２３）、監視を継続して行う。
【０１４３】
撮像装置１００から縮小画像を受信した場合には（ステップＳ９２３）、制御部２５０は、受信した縮小画像を用いて選択画像情報を生成する選択画像情報の生成処理を行う（ステップＳ９２４）。例えば、図８に示すように、受信した縮小画像を含む画像選択画面３００が表示され、画像選択画面３００を用いて画像を選択する選択操作が行われる。この選択操作により選択画像情報が生成される。また、生成された選択画像情報は、記憶部２７０に記憶される。
【０１４４】
続いて、制御部２５０は、他の情報処理装置の接触（または、近接）が検出されたか否かを判断する（ステップＳ９２５）。他の情報処理装置の接触が検出されていない場合には（ステップＳ９２５）、監視を継続して行う。
【０１４５】
また、他の情報処理装置の接触が検出された場合には（ステップＳ９２５）、制御部２５０は、無線通信（例えば、Ｗｉ−Ｆｉ）を利用して、他の情報処理装置との接続を開始する（ステップＳ９２６）。
【０１４６】
続いて、制御部２５０は、無線通信を利用して、生成された選択画像情報を他の情報処理装置に送信する（ステップＳ９２７）。
【０１４７】
［撮像装置の動作例］
図１５は、本技術の第２の実施の形態における撮像装置１００による画像送信処理の処理手順の一例を示すフローチャートである。図１５では、情報処理装置から受信した選択画像情報に基づいて画像を送信する例を示す。なお、ステップＳ９３１乃至Ｓ９３３、Ｓ９３５、Ｓ９３６は、図１２に示すステップＳ９１１乃至Ｓ９１５に対応するため、ここでの説明を省略する。
【０１４８】
選択画像送信モードが設定されている場合には（ステップＳ９３３）、制御部１４０は、接続された情報処理装置から選択画像情報を受信したか否かを判断する（ステップＳ９３４）。そして、その情報処理装置から選択画像情報を受信していない場合には（ステップＳ９３４）、制御部１４０は、記憶部１３０に記憶されている全ての画像を、その情報処理装置に送信する（ステップＳ９３６）。なお、選択画像情報を受信したか否かの判断は、例えば、所定時間が経過した後に行うようにしてもよい。
【０１４９】
情報処理装置から選択画像情報を受信した場合には（ステップＳ９３４）、制御部１４０は、記憶部１３０に記憶されている各画像のうち、その受信した選択画像情報により特定される選択画像を、その情報処理装置に送信する（ステップＳ９３５）。
【０１５０】
［情報処理装置の動作例］
図１６は、本技術の第２の実施の形態における情報処理装置２０１による画像受信処理の処理手順の一例を示すフローチャートである。図１６では、情報処理装置２００により生成された選択画像情報を用いて撮像装置１００から選択画像を受信する例を示す。なお、情報処理装置２０１の機能構成については、情報処理装置２００と同様であるため、ここでは、情報処理装置２００の各部の符号と同一の符号を用いて説明する。
【０１５１】
最初に、制御部２５０は、撮像装置１００の接触（または、近接）が検出されたか否かを判断する（ステップＳ９４１）。撮像装置１００の接触が検出されていない場合には（ステップＳ９４１）、監視を継続して行う。なお、情報処理装置２００が接触（または、近接）を検出する代わりに、撮像装置１００が情報処理装置２００の接触（または、近接）を検出してその検出結果を情報処理装置２００に送信するようにしてもよい。この場合には、撮像装置１００からの検出結果に基づいて、制御部２５０は、撮像装置１００の接触（または、近接）が検出されたか否かを判断する（ステップＳ９４１）。
【０１５２】
また、撮像装置１００の接触が検出された場合には（ステップＳ９４１）、制御部２５０は、無線通信（例えば、Ｗｉ−Ｆｉ）を利用して、撮像装置１００との接続を開始する（ステップＳ９４２）。
【０１５３】
続いて、制御部２５０は、無線通信を利用して撮像装置１００に選択画像情報を送信する（ステップＳ９４３）。
【０１５４】
続いて、制御部２５０は、撮像装置１００から選択画像を受信したか否かを判断する（ステップＳ９４４）。選択画像を受信していない場合には（ステップＳ９４４）、監視を継続して行う。
【０１５５】
撮像装置１００から選択画像を受信した場合には（ステップＳ９４４）、制御部２５０は、受信した選択画像を記憶部２７０に記憶させ（ステップＳ９４５）、入出力部２４０に表示させる（ステップＳ９４６）。
【０１５６】
このように、撮像装置１００の制御部１４０は、情報処理装置２００からの要求に応じて縮小画像（コンテンツ情報）を情報処理装置２００に送信する。また、情報処理装置２００の制御部２５０は、縮小画像（コンテンツ情報）を用いて生成された選択情報を他の情報処理装置に送信する。そして、撮像装置１００の制御部１４０は、その選択情報を他の情報処理装置から取得する。
【０１５７】
このように、本技術の第１および第２の実施の形態によれば、撮像装置１００、情報処理装置２００、他の情報処理装置の３者間で画像のやりとりを行う場合に、その送信対象となる画像を容易に選択することができる。例えば、撮像装置１００および情報処理装置２００を所有するユーザが、友人が所有する情報処理装置に撮像装置１００に記憶されている画像を渡す場合には、情報処理装置２００において縮小画像を閲覧して友人に渡すべき画像を容易に選択することができる。また、撮像部１１０により生成された画像を表示するための表示部を撮像装置１００に設けなくても、友人に渡すべき画像を容易に選択することができる。
【０１５８】
これにより、撮像装置１００を用いて撮影した画像を友人とシェアする場合に、撮像装置１００の所有者が指示した画像を容易にシェアすることができる。すなわち、友人に見せたくない画像は、シェアしないようにすることができる。
【０１５９】
また、友人に渡すべき画像を選択するために用いる縮小画像は、データ量が比較的少ないため、撮像装置１００および情報処理装置２００間の縮小画像のやりとりを高速化することができる。また、撮像装置１００から情報処理装置２００に送信していない画像であっても、友人に容易に渡すことができる。
【０１６０】
このように、本技術の第１および第２の実施の形態によれば、装置間のコンテンツ送信を適切に行うことができる。
【０１６１】
＜３．第３の実施の形態＞
本技術の第１および第２の実施の形態では、ユーザ操作に基づいて生成された選択画像情報に基づいて情報処理装置に画像を送信する例を示した。ここで、例えば、撮像装置に記憶されている画像については、画像認識技術を用いて属性等を取得することが可能である。
【０１６２】
そこで、本技術の第３の実施の形態では、撮像装置に記憶されている画像の属性等に基づいて情報処理装置に画像を送信する例を示す。なお、本技術の第３の実施の形態における撮像装置および情報処理装置の構成については、図１乃至図３に示す撮像装置１００および情報処理装置２００と同一である。このため、本技術の第２の実施の形態における各装置については、本技術の第１の実施の形態と同一の符号を付してこれらの説明の一部を省略する。
【０１６３】
［画像リストの内容例］
図１７は、本技術の第３の実施の形態における撮像装置１００の記憶部１３０に記憶される画像リスト５００の内容例を模式的に示す図である。
【０１６４】
画像リスト５００は、記憶部１３０に記憶されている画像に関する各情報が関連付けて格納されているリストであり、選択画像情報の一例である。画像リスト５００には、例えば、コンテンツ識別情報５０１と、撮影日時５０２と、顔情報５０３と、イベント情報５０４と、位置情報５０５と、シーン情報５０６と、送信情報５０７と、送信可否情報５０８とが関連付けて格納されている。
【０１６５】
コンテンツ識別情報５０１は、記憶部１３０に記憶されている画像（コンテンツ）を識別するための情報であり、例えば、記録処理が行われた順序に応じた通し番号がコンテンツ識別情報として記録される。
【０１６６】
撮影日時５０２は、記憶部１３０に記憶されている画像（コンテンツ）の撮影が行われた日時である。
【０１６７】
顔情報５０３は、記憶部１３０に記憶されている画像（コンテンツ）に含まれる人物の顔に関する情報である。例えば、画像に含まれる人物の顔を識別することが可能な画像認識技術（例えば、顔識別技術）を用いて、同一人物であるか否かを識別することができる。なお、顔情報については、画像認識技術を用いて同一人物であるか否かを自動で識別して格納するようにしてもよく、ユーザ操作に基づいて格納するようにしてもよい。
【０１６８】
イベント情報５０４は、記憶部１３０に記憶されている画像（コンテンツ）のイベントに関する情報である。例えば、画像の撮影日時により同一のイベントであるか否かを判断することができる。また、例えば、人物等の画像解析により同一のイベントであるか否かを判断することができる。例えば、同一の人物が含まれるコンテンツについては同一のイベントであると判断することができる。また、例えば、位置情報により同一のイベントであるか否かを判断することができる。例えば、同一（または、同一エリア）の位置情報が関連付けられているコンテンツについては同一のイベントであると判断することができる。そして、同一のイベントであると判断された各画像には、同一のイベント情報を格納する。このように、イベントは、例えば、画像の撮影日時、人物等の画像解析、位置情報等の情報に基づいて決定される一つのイベントの単位を意味する。
【０１６９】
位置情報５０５は、記憶部１３０に記憶されている画像（コンテンツ）の撮影が行われた場所に関する情報である。例えば、位置情報として、画像の撮影が行われた場所の緯度および経度を格納することができる。この位置情報は、例えば、ＧＰＳ（Global Positioning System）により取得することができる。
【０１７０】
シーン情報５０６は、記憶部１３０に記憶されている画像（コンテンツ）に含まれる被写体のシーン（または、属性）に関する情報である。例えば、画像に含まれる被写体のシーンを認識することが可能な画像認識技術（例えば、シーン認識技術）を用いて、各シーンを識別することができる。例えば、１人の人物が含まれる静止画コンテンツの場合には「１人」が格納され、２人の人物が含まれる静止画コンテンツの場合には「２人」が格納され、３人以上の人物が含まれる静止画コンテンツの場合には「多数」が格納される。また、人物が含まれず風景が含まれる静止画コンテンツの場合には「風景」が格納される。また、夜景が含まれる静止画コンテンツの場合には「夜景」が格納される。
【０１７１】
送信情報５０７は、過去に情報処理装置に送信した画像（コンテンツ）であるか否かを示す情報である。例えば、過去に情報処理装置に送信した画像である場合には「送信済」が格納され、情報処理装置に一度も送信していない画像である場合には「未送信」が格納される。
【０１７２】
送信可否情報５０８は、情報処理装置への送信対象とすることができるか否かを示す情報である。例えば、情報処理装置への送信対象とすることができる画像である場合には「可」が格納され、情報処理装置への送信対象とすることができない画像である場合には「不可」が格納される。なお、送信可否情報については、自動で識別して格納するようにしてもよく、ユーザ操作に基づいて格納するようにしてもよい。
【０１７３】
また、顔情報、イベント情報およびシーン情報については、画像認識技術を用いて各画像を自動で識別して格納するようにしてもよく、ユーザ操作に基づいて格納するようにしてもよい。
【０１７４】
なお、これらの各情報は、一例であり、これらのうちの一部を画像リストに格納するようにしてよく、画像に関する他の情報を画像リストに格納するようにしてもよい。画像に関する他の情報は、例えば、個人属性情報（例えば、性別、年齢）、撮影時における位置情報（例えば、緯度、経度、高度）である。
【０１７５】
また、画像リストは、コンテンツ管理ファイルとして管理するようにしてもよく、他の管理情報として管理するようにしてもよい。また、画像リストは、例えば、画像コンテンツ（画像ファイル）内に記録して管理するようにしてもよい。例えば、画像ファイルのフォーマット形式として、Ｅｘｉｆ（Exchangeable Image File Format）を用いる場合には、図１７に示す各情報のうちの少なくとも一部をメーカーノートに記録して管理することができる。
【０１７６】
［画像送信例］
ここで、撮像装置１００が画像リスト５００を用いて画像送信を行う場合の例を示す。
【０１７７】
例えば、画像リスト５００の各情報を用いて、記憶部１３０に記憶されている各画像を分類することができる。例えば、撮影日時５０２を用いて、記憶部１３０に記憶されている各画像を撮影日毎に分類することができる。また、例えば、顔情報５０３を用いて、記憶部１３０に記憶されている各画像を、同一人物と推定される人物毎に分類することができる。また、例えば、イベント情報５０４を用いて、記憶部１３０に記憶されている各画像をイベント毎に分類することができる。また、例えば、位置情報５０５を用いて、記憶部１３０に記憶されている各画像を撮影位置毎に分類（例えば、所定範囲内の位置を同一位置として分類）することができる。また、例えば、シーン情報５０６を用いて、記憶部１３０に記憶されている各画像をシーン毎に分類することができる。また、例えば、送信情報５０７を用いて、記憶部１３０に記憶されている各画像を送信済、未送信に分類することができる。また、例えば、送信可否情報５０８を用いて、記憶部１３０に記憶されている各画像を、送信可能、送信不可能に分類することができる。
【０１７８】
また、画像リスト５００の各情報のうちの２以上の情報を用いて、記憶部１３０に記憶されている各画像を分類するようにしてもよい。また、何れかの情報を用いて分類するかを、ユーザ操作により設定することができる。このように、ユーザ操作により設定する場合には、例えば、撮像装置１００が画像リスト５００の各情報を情報処理装置２００に送信し、情報処理装置２００で入力された条件を撮像装置１００が受信して用いることができる。
【０１７９】
また、画像リスト５００を用いて分類された画像のうちの何れの画像を送信対象とするかを、ユーザ操作に基づいて設定することができる。例えば、シーン情報５０６を用いてシーン毎に各画像が分類される場合を想定する。この場合には、例えば、ユーザ操作により「夜景」に分類された画像を送信対象とする旨の設定をすることができる。ただし、送信可否情報５０８に「不可」が格納されている画像については、送信対象から除外されるものとする。
【０１８０】
［情報処理装置の接触位置に応じた画像送信例］
ここでは、撮像装置１００における情報処理装置の接触位置（または、近接位置）に応じて送信対象とする画像を変更する例を示す。例えば、撮像装置１００の上部（図１に示す矢印５１１が指し示す位置）と、撮像装置１００の下部（図１に示す矢印５１２が指し示す位置）とに近距離無線通信を行うためのアンテナを設置する。そして、撮像装置１００の制御部１４０は、情報処理装置の接触（または、近接）が検出された場合には、その接触（または、近接）が検出された位置を判断する。例えば、制御部１４０は、撮像装置１００の上部（図１に示す矢印５１１が指し示す位置）と、撮像装置１００の下部（図１に示す矢印５１２が指し示す位置）との何れかの位置において接触（または、近接）が検出されたかを判断する。
【０１８１】
そして、制御部１４０は、撮像装置１００の上部（図１に示す矢印５１１が指し示す位置）において接触（または、近接）が検出された場合には、記憶部１３０に記憶されている各画像を情報処理装置に送信する。一方、制御部１４０は、撮像装置１００の下部（図１に示す矢印５１２が指し示す位置）において接触（または、近接）が検出された場合には、画像リスト５００を用いて選択された画像を情報処理装置に送信する。
【０１８２】
画像リスト５００を用いて画像を選択する処理の一例として、制御部１４０は、撮像装置１００の下部において接触（または、近接）が検出された場合には、当日の日付で撮影されたコンテンツを特定して情報処理装置に送信するようにしてもよい。また、制御部１４０は、撮像装置１００の下部において接触（または、近接）が検出された場合には、最新のイベントに属するコンテンツを特定して情報処理装置に送信するようにしてもよい。また、撮像装置１００の下部において接触（または、近接）が検出された場合に送信すべきコンテンツをユーザ操作により設定しておくようにしてもよい。
【０１８３】
［撮像装置の動作例］
図１８は、本技術の第３の実施の形態における撮像装置１００による画像送信処理の処理手順の一例を示すフローチャートである。図１８では、撮像装置１００における情報処理装置の接触位置（または、近接位置）に応じて、送信対象とする画像を変更する例を示す。なお、ステップＳ９５１、Ｓ９５２、Ｓ９５５、Ｓ９５６は、図１２に示すステップＳ９１１、Ｓ９１２、Ｓ９１４、Ｓ９１５に対応するため、ここでの説明の一部を省略する。
【０１８４】
制御部１４０は、無線通信を利用した情報処理装置との接続が開始された後に（ステップＳ９５２）、撮像装置１００における情報処理装置の接触（または、近接）が検出された位置を判断する（ステップＳ９５３）。
【０１８５】
撮像装置１００の下部において接触（または、近接）が検出された場合には（ステップＳ９５３）、制御部１４０は、送信対象とする画像を選択するための選択画像情報を生成する（ステップＳ９５４）。例えば、図１７に示す画像リスト５００が生成される。続いて、制御部１４０は、記憶部１３０に記憶されている各画像のうち、その生成された選択画像情報により特定される選択画像を、その情報処理装置に送信する（ステップＳ９５５）。例えば、制御部１４０は、画像リスト５００を用いて選択された画像を情報処理装置に送信する。
【０１８６】
また、撮像装置１００の上部において接触（または、近接）が検出された場合には（ステップＳ９５３）、制御部１４０は、記憶部１３０に記憶されている全ての画像を、その情報処理装置に送信する（ステップＳ９５６）。
【０１８７】
このように、撮像装置１００の制御部１４０は、記憶部１３０に記録されているコンテンツについての画像認識処理により選択画像情報（選択情報）を生成する。また、撮像装置１００の制御部１４０は、近距離無線通信を利用して情報処理装置２００との接触または近接が検出された撮像装置１００における位置（上部、下部）に基づいて、情報処理装置２００への送信対象とする画像（コンテンツ）を変更する。
【０１８８】
なお、本技術の第３の実施の形態では、撮像装置１００における２つの位置（上部、下部）の接触（または、近接）に応じて送信画像を変更する例を示した。ただし、撮像装置１００における３以上の位置の接触（または、近接）に応じて送信画像を変更するようにしてもよい。例えば、接触（または、近接）位置と、送信対象とするカテゴリーとを関連付けておき、その接触（または、近接）位置に応じたカテゴリーの画像を送信することができる。
【０１８９】
このように、本技術の第３の実施の形態によれば、撮像装置１００、情報処理装置２００、他の情報処理装置の３者間で画像のやりとりを行う場合に、その送信対象となる画像を自動で容易に選択することができる。すなわち、装置間のコンテンツ送信を適切に行うことができる。
【０１９０】
なお、情報処理装置２００の入出力部２４０における縮小画像の再生情報を選択情報として用いるようにしてもよい。例えば、情報処理装置２００の入出力部２４０において、撮像装置１００の記憶部１３０に記憶されている画像の縮小画像を再生（例えば、スライドショー）させる。そして、その再生中に撮像装置１００が他の情報処理装置の接触（または、近接）を検出した場合に、その再生中の画像を、撮像装置１００から他の情報処理装置に送信する。この場合には、再生中の画像に関する情報（再生情報）が情報処理装置２００から撮像装置１００に順次送信される。そして、撮像装置１００の制御部１４０は、その再生情報を選択情報として用いて、画像送信を行う。
【０１９１】
また、本技術の実施の形態では、撮像装置および情報処理装置間のコンテンツ送信を例にして説明したが、他の装置間のコンテンツ送信についても本技術の実施の形態を適用することができる。例えば、第１装置は、実コンテンツを保持する機器とする。また、第２装置は、第３装置に送信するコンテンツに関する情報（選択情報（例えば、リスト情報））を設定する機器とする。例えば、第２装置は、その選択情報を第１装置または第３装置に送信して設定する。そして、第３装置は、その選択情報に基づいて、実コンテンツを保持する第１装置と接続し、実コンテンツを取得する。
【０１９２】
なお、本技術の実施の形態では、撮像装置１００が情報処理装置の接触（または、近接）を検出した場合に、撮像装置１００がその情報処理装置への画像送信を開始する例を示した。ただし、他の方法（例えば、無線を用いる方法、有線回線を用いる方法）により情報処理装置との接続を検出して、撮像装置１００がその情報処理装置への画像送信を開始するようにしてもよい。
【０１９３】
なお、本技術の実施の形態では、円筒形（円柱形）の撮像装置１００を例にして説明したが、他の装置に取り付けることが可能な他の形状の撮像装置についても、本技術の実施の形態を適用することができる。また、無線通信（例えば、Ｗｉ−Ｆｉ）を利用した他の装置への接続が可能な撮像装置についても、本技術の実施の形態を適用することができる。また、本技術の実施の形態では、スマートフォン、タブレット端末等の情報処理装置２００を例にして説明したが、無線通信を利用して撮像装置と接続することが可能な他の装置についても、本技術の実施の形態を適用することができる。
【０１９４】
なお、上述の実施の形態は本技術を具現化するための一例を示したものであり、実施の形態における事項と、請求の範囲における発明特定事項とはそれぞれ対応関係を有する。同様に、請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１９５】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０１９６】
なお、本明細書に記載された効果はあくまで例示であって、限定されるものではなく、また、他の効果があってもよい。
【０１９７】
なお、本技術は以下のような構成もとることができる。
（１）
近距離無線通信を利用して第２の外部情報処理装置との接触または近接が検出された場合に、記録媒体に記録されているコンテンツのうちから送信対象となるコンテンツを選択するための情報であって第１の外部情報処理装置において生成された選択情報に基づいて、前記記録媒体に記録されているコンテンツを前記第２の外部情報処理装置に送信する制御を行う制御部を具備する情報処理装置。
（２）
前記制御部は、前記記録媒体に記録されているコンテンツのうち前記選択情報に基づいて選択されるコンテンツを前記第２の外部情報処理装置に送信する前記（１）に記載の情報処理装置。
（３）
前記制御部は、前記第１の外部情報処理装置からの要求に応じて前記選択情報を生成する際に用いられるコンテンツ情報を前記第１の外部情報処理装置に送信し、前記第１の外部情報処理装置により生成された前記選択情報を取得する前記（１）または（２）に記載の情報処理装置。
（４）
前記制御部は、前記選択情報を取得した場合には、前記選択情報に基づいて前記コンテンツを送信するための特定送信モードを設定する前記（３）に記載の情報処理装置。
（５）
前記制御部は、前記特定送信モードが設定されている状態では、前記選択情報に基づいて選択されるコンテンツを前記第２の外部情報処理装置に送信する前記（４）に記載の情報処理装置。
（６）
前記コンテンツは、画像コンテンツであり、
前記コンテンツ情報は、前記画像コンテンツを表す縮小画像を表示させるための画像情報であり、
前記第１の外部情報処理装置は、前記画像情報に基づいて前記縮小画像を表示させ、前記縮小画像を用いたユーザ操作に基づいて前記選択情報を生成する
前記（３）から（５）のいずれかに記載の情報処理装置。
（７）
前記制御部は、前記第１の外部情報処理装置からの要求に応じて前記選択情報を生成する際に用いられるコンテンツ情報を前記第１の外部情報処理装置に送信して前記選択情報を前記第２の外部情報処理装置から取得し、
前記第１の外部情報処理装置は、前記コンテンツ情報を用いて生成された前記選択情報を前記第２の外部情報処理装置に送信する
前記（１）から（６）のいずれかに記載の情報処理装置。
（８）
前記制御部は、前記記録媒体に記録されているコンテンツについての画像認識処理により前記選択情報を生成する前記（１）または（２）に記載の情報処理装置。
（９）
前記制御部は、近距離無線通信を利用して前記第２の外部情報処理装置との接触または近接が検出された前記情報処理装置における位置に基づいて前記第２の外部情報処理装置への送信対象とするコンテンツを変更する前記（１）から（８）のいずれかに記載の情報処理装置。
（１０）
被写体を撮像して前記被写体を含むコンテンツを生成する撮像部をさらに具備し、
前記制御部は、前記生成されたコンテンツを前記記録媒体に記録させる
前記（１）から（９）のいずれかに記載の情報処理装置。
（１１）
撮像装置に記録されているコンテンツに関するコンテンツ情報を取得して前記コンテンツ情報に基づいて前記撮像装置に記録されているコンテンツのうちから他の情報処理装置への送信対象とするコンテンツを選択するための選択情報を生成する制御を行う制御部を具備する情報処理装置。
（１２）
撮像装置の記録媒体に記録されているコンテンツに関するコンテンツ情報を取得して前記コンテンツ情報に基づいて前記記録媒体に記録されているコンテンツのうちから他の情報処理装置への送信対象とするコンテンツを選択するための選択情報を生成する情報処理装置と、
前記選択情報に基づいて前記記録媒体に記録されているコンテンツを前記他の情報処理装置に送信する撮像装置と
を具備する情報処理システム。
（１３）
近距離無線通信を利用して第２の外部情報処理装置との接触または近接が検出された場合に、記録媒体に記録されているコンテンツのうちから送信対象となるコンテンツを選択するための情報であって第１の外部情報処理装置において生成された選択情報に基づいて、前記記録媒体に記録されているコンテンツを前記第２の外部情報処理装置に送信する情報処理装置の制御方法。
（１４）
近距離無線通信を利用して第２の外部情報処理装置との接触または近接が検出された場合に、記録媒体に記録されているコンテンツのうちから送信対象となるコンテンツを選択するための情報であって第１の外部情報処理装置において生成された選択情報に基づいて、前記記録媒体に記録されているコンテンツを前記第２の外部情報処理装置に送信する送信手順をコンピュータに実行させるプログラム。
【符号の説明】
【０１９８】
１００  撮像装置
１１０  撮像部
１２０  画像処理部
１３０  記憶部
１４０  制御部
１５０  無線通信部
１６０  操作受付部
１６１〜１６３  操作部材
１７０  鏡筒
１８０  アダプタ
１８１、１８２  取付部材
１８５  装着面
２００、２０１  情報処理装置
２１０  姿勢検出部
２２０  操作受付部
２２１〜２２３  操作部材
２３０  無線通信部
２４０  入出力部
２４１  入力部
２４２  表示部
２５０  制御部
２６０  画像処理部
２７０  記憶部
２８０  音声出力部
２９１  発光部
２９２  撮像部
【図１】
2015194237.tif 000003
【図２】
2015194237.tif 000004
【図３】
2015194237.tif 000005
【図４】
2015194237.tif 000006
【図５】
2015194237.tif 000007
【図６】
2015194237.tif 000008
【図７】
2015194237.tif 000009
【図８】
2015194237.tif 000010
【図９】
2015194237.tif 000011
【図１０】
2015194237.tif 000012
【図１１】
2015194237.tif 000013
【図１２】
2015194237.tif 000014
【図１３】
2015194237.tif 000015
【図１４】
2015194237.tif 000016
【図１５】
2015194237.tif 000017
【図１６】
2015194237.tif 000018
【図１７】
2015194237.tif 000019
【図１８】
2015194237.tif 000020
【国際調査報告】
2015194237.tif 000021
2015194237.tif 000022
2015194237.tif 000023
2015194237.tif 000024